(57)【要約】      （修正有）【課題】炉内温度の影響を抑制した高温炉内監視カメラ装置及び監視システムを提供する。【解決手段】高温炉内監視カメラ装置３０は、カメラ収納ケース９０と、撮像カメラ本体１００と、広角レンズ系１１０と、プリズム系１２０とを有する。カメラ収納ケース９０の内壁には、冷却液が循環される冷却流路７２が設けられている。内部空間９２に収納された撮像カメラ本体１００、広角レンズ系１１０、プリズム系１２０が窒素ガスの流れによって直接冷却される。カメラ収納ケース９０は、挿入側前端部に窓１３０が設けられている。窓１３０には、開口部分に炉内の温度に耐えうる透明なカバーガラス１３２が嵌め込まれている。プリズム系１２０は、広角レンズ系１１０と窓１３０との間に配置されており、至近距離用の第１のプリズム１２２と、近距離用の第２のプリズム１２４とを有する。【選択図】図２
0003179077.tif 000002
【実用新案登録請求の範囲】
【請求項１】
高温炉内を撮像する高温炉内監視カメラ装置であって、
前記高温炉内を囲む炉壁に挿通されるカメラ収納ケースと、
前記カメラ収納ケースの内部に収納される撮像カメラ本体と、
前記カメラ収納ケースの内部を冷却する冷却手段と、
前記カメラ収納ケースの挿入側端部に形成され、前記炉内の温度に耐えうるカバーガラスを有する窓と、
前記カバーガラスを通して前記炉内の各領域からの光が入射される複数のプリズムを有するプリズム系と、
前記プリズム系から出射された各領域からの光を前記撮像カメラ本体の撮像素子に結像させる広角レンズ系と、
を備えた高温炉内監視カメラ装置。
【請求項２】
前記プリズム系は、
前記炉内の至近距離に位置する第１正面撮像領域からの光を前記広角レンズ系に入射させる第１のプリズムと、
前記第１正面撮像領域より遠距離側に位置する前記炉内の第２正面撮像領域からの光を前記広角レンズ系に入射させる第２のプリズムと、
を有する請求項１に記載の高温炉内監視カメラ装置。
【請求項３】
前記プリズム系は、
正面に位置する前記炉内の正面撮像領域からの光を前記広角レンズ系に入射させる第２のプリズムと、
前記正面撮像領域より左方向に位置する前記炉内の左側撮像領域からの光を前記広角レンズ系に入射させる第３のプリズムと、
前記正面撮像領域より右方向に位置する前記炉内の右側撮像領域からの光を前記広角レンズ系に入射させる第４のプリズムと、
を有する請求項１に記載の高温炉内監視カメラ装置。
【請求項４】
前記冷却手段は、
前記カメラ収納ケースの内壁に形成された冷却流路に冷却液を供給し、前記カメラ収納ケースを冷却する第１の冷却手段と、
前記カメラ収納ケースの内部に気体を供給し、前記撮像カメラ本体、前記広角レンズ系、前記プリズム系を冷却する第２の冷却手段と、
を有する請求項１〜３の何れかに記載の高温炉内監視カメラ装置。
【請求項５】
前記第２の冷却手段は、窒素ガスを前記カメラ収納ケースの内部に供給しており、
前記窒素ガスは、前記カメラ収納ケースの内部を通過して前記炉内に排出される請求項４に記載の高温炉内監視カメラ装置。
【請求項６】
前記カバーガラスは、前記炉内の温度に耐えうる耐熱性を有する石英ガラス又はサファイアガラスである請求項１に記載の高温炉内監視カメラ装置。
【請求項７】
前記炉内は、ガラスリボンを生成するフロートバスを有し、
前記プリズム系は、前記ガラスリボンのエッジ部分が通過する領域が前記各撮像領域に入るように前記各プリズムが配置された請求項１〜６の何れかに記載の高温炉内監視カメラ装置。
【請求項８】
請求項１〜６の何れかに記載の高温炉内監視カメラ装置と、
前記高温炉内監視カメラ装置により撮像された炉内の画像信号を画像処理する画像処理部と、
前記画像処理部により画像処理された画像を表示するモニタとを備えた監視システム。
【考案の詳細な説明】
【技術分野】
【０００１】
本考案は、高温炉内監視カメラ装置及び監視システムに関する。
【背景技術】
【０００２】
例えば、ガラスの製造工程においては、高温に溶融したガラスリボンを高温炉内のフロートバスを通過する過程で徐冷しながらトップロール（アシストロール）によりガラスリボンのエッジ部分を横幅方向に引張って所望の厚さにしている（例えば、特許文献１参照）。このようにガラスリボンの厚さを調整する場合、ガラスリボンのエッジ部分を観察しながらトップロールの位置及びガラス溶融の流入量を調整している。
【０００３】
また、高温炉内の溶融ガラス素地表面、すなわち、フロートバス内のガラスリボン（溶融ガラス）のエッジ付近を監視する場合、至近距離からできる限り広範囲に見えることが要望されている。一般的な環境下では、広角レンズを用いて撮像するだけ良いが、５００°Ｃ以上の温度環境下となる高温炉内を観察する場合は、覗き窓から炉内を観察するか、あるいは冷却手段を有するカメラ収納ケース内に収納された監視カメラにより炉内を撮像することになる。
【先行技術文献】
【特許文献】
【０００４】
【特許文献１】特開２０１１−１２１７号公報
【考案の概要】
【考案が解決しようとする課題】
【０００５】
上記ガラスの製造工程においては、複数の監視カメラを設置してガラスリボンのエッジ部分の流れを全て監視する場合、監視カメラの設置数が増加することになり、監視カメラの設置により炉内の温度が低下し、炉内の温度分布に影響を与えるという問題があった。
【０００６】
また、監視カメラに画角の大きい魚眼レンズを装着することにより、炉内を広範囲に撮像することが可能になり、監視カメラの設置数を削減することが考えられる。しかしながら、一般的な広角レンズよりも画角の広い所謂魚眼レンズ（例えば、画角が１８０度）を用いて撮像する方法では、画像に歪曲収差（ディストーション）が発生するという問題が生じる。
【０００７】
さらに、カメラ収納ケースの窓を魚眼レンズの画角に合わせて大きくした場合、窓のカバーガラスの内側が冷却手段により冷却されるため、カバーガラスの外側に結露が発生しやすくなってカバーガラスが汚れやすくなる。そのため、魚眼レンズを用いてガラスリボンのエッジ部分を広範囲に撮像する場合、汚れたカバーガラスを新しいものと頻繁に交換するなどのメンテナンスに手間がかかるという問題が生じる。
【０００８】
そこで、本考案は上記事情に鑑み、炉内の温度分布に影響を与えにくい構成として上記課題を解決した高温炉内監視カメラ装置及び監視システムの提供を目的とする。
【課題を解決するための手段】
【０００９】
上記課題を解決するため、本考案は以下のような手段を有する。
【００１０】
本考案は、高温炉内を撮像する高温炉内監視カメラ装置であって、
前記高温炉内を囲む炉壁に挿通されるカメラ収納ケースと、
前記カメラ収納ケースの内部に収納される撮像カメラ本体と、
前記カメラ収納ケースの内部を冷却する冷却手段と、
前記カメラ収納ケースの挿入側端部に形成され、前記炉内の温度に耐えうるカバーガラスを有する窓と、
前記カバーガラスを通して前記炉内の各領域からの光が入射される複数のプリズムを有するプリズム系と、
前記プリズム系から出射された各領域からの光を前記撮像カメラ本体の撮像素子に結像させる広角レンズ系と、
を備えることにより、上記課題を解決するものである。
【考案の効果】
【００１１】
本考案によれば、監視カメラから至近距離及び左右方向に離間した任意の各領域を１台の監視カメラで撮像することが可能になり、その分監視カメラの設置数を削減して監視カメラの設置に伴う炉内の温度低下を抑制することが可能になると共に、カメラ収納ケースの窓に装着されるカバーガラスの面積をできるだけ小さくしてカバーガラスの結露を抑制してカバーガラスの汚れを抑制してメンテナンスの手間を軽減できる。
【図面の簡単な説明】
【００１２】
【図１】本考案による高温炉内監視カメラ装置の一実施例を用いた監視システムを示す図である。
【図２】本考案による高温炉内監視カメラ装置の一実施例を示す縦断面図である。
【図３】本考案による高温炉内監視カメラ装置の撮像範囲を示す平面図である。
【図４】高温炉内監視カメラ装置の変形例を示す縦断面図である。
【図５】高温炉内監視カメラ装置の変形例を示す横断面図である。
【図６】高温炉内監視カメラ装置の変形例の撮像範囲を示す平面図である。
【考案を実施するための形態】
【００１３】
以下、図面を参照して本考案を実施するための形態について説明する。
【００１４】
〔監視システムの構成〕
図１は本考案による高温炉内監視カメラ装置の一実施例を用いた監視システムを示す構成図である。図１に示されるように、監視システム１０は、高温炉２０の内壁左右両側に配された複数の高温炉内監視カメラ装置３０、３０Ａと、画像処理部４０と、モニタ５０とを有する。尚、図１において、２台の高温炉内監視カメラ装置３０、３０Ａの配置は、説明の便宜上左右両側に配置された場合について示されているが、実際には溶融ガラスの流れ方向の複数箇所に各高温炉内監視カメラ装置３０、３０Ａが適宜配置される。
【００１５】
高温炉２０は、天井側にヒータ２１が設けられ、底部側に溶融スズ（Ｓｎ）６２を有するフロートバス６０が設けられている。高温炉内監視カメラ装置３０、３０Ａは、高温炉２０の側面の炉壁２２に形成された取付孔２４に挿入されており、溶融スズ６２の上面を移動するガラスリボンＧ（溶融ガラス）のエッジ部分を斜め上方から撮像するように取り付けられている。また、各高温炉内監視カメラ装置３０、３０Ａの突出位置及び挿入角度（水平方向に対する傾斜角度）は、撮像するガラスリボンＧのエッジ部分にできるだけ接近するように設定される。
【００１６】
画像処理部４０は、各高温炉内監視カメラ装置３０により撮像された高温炉２０の炉内２６の画像を画像処理する制御手段であり、画像処理した画像をモニタ５０に表示させる。
【００１７】
高温炉内監視カメラ装置３０、３０Ａは、例えば高温に溶融したガラスリボンＧのエッジ部分をトップロール２３により拡幅方向に引張っている状況を観察するためのものであるので、トップロール２３の配置箇所に対応する複数箇所に配置されることが望ましい。しかしながら、本考案の高温炉内監視カメラ装置３０、３０Ａは、後述するように複数領域を同時に撮像可能な複眼構造であるので、従来の単眼構造のものよりも設置数を削減可能である。そのため、高温炉２０においては、炉壁２２の取付孔２４の数及び高温炉内監視カメラ装置３０、３０Ａの数が削減されることになり、その分炉内２６の温度の低下が抑制され、温度管理が安定化する。
【００１８】
各高温炉内監視カメラ装置３０、３０Ａは、冷却手段としての冷却液供給装置（第１の冷却手段）７０と、冷却気体供給装置（第２の冷却手段）８０とを有する。冷却液供給装置７０は、高温炉内監視カメラ装置３０の内部に冷却液（水）を供給すると共に、高温炉内監視カメラ装置３０の内部を通過した冷却液を回収しており、冷却液を循環させることでケース内温度を所定温度に冷却する。
【００１９】
冷却気体供給装置８０は、冷却気体としての窒素ガス（Ｎ２）を高温炉内監視カメラ装置３０の内部に供給する。また、高温炉内監視カメラ装置３０は、内部に供給された窒素ガスが、炉内挿入側の端部に排出孔を有する。そのため、高温炉内監視カメラ装置３０の内部に供給された窒素ガスは、高温炉内監視カメラ装置３０の内部を冷却した後、炉内２６に排出される。尚、炉内２６は、溶融スズ６２の酸化を防ぐため、窒素ガスと水素との混合ガスの雰囲気に保たれている。そのため、高温炉内監視カメラ装置３０の内部を冷却した窒素ガスが炉内２６に排出されても、炉内２６の雰囲気は殆ど変化しない。
【００２０】
〔高温炉内監視カメラ装置３０の構成〕
図２は本考案による高温炉内監視カメラ装置の一実施例を示す縦断面図である。図２に示されるように、高温炉内監視カメラ装置３０は、カメラ収納ケース９０と、撮像カメラ本体１００と、広角レンズ系１１０と、プリズム系１２０とを有する。カメラ収納ケース９０は、耐熱材及び断熱材により構成されており、挿入側端部には撮像用の窓１３０が設けられている。また、カメラ収納ケース９０の内壁には、冷却液（冷却水）が循環される冷却流路７２が設けられている。この冷却流路７２は、冷却液供給装置７０から供給された冷却液が流れており、カメラ収納ケース９０の内壁及び内部空間９２を冷却する。さらに、内部空間９２は、冷却気体供給装置８０から供給された窒素ガスが後端部側から前端部側へ流れて排出されるため、内部空間９２に収納された撮像カメラ本体１００、広角レンズ系１１０、プリズム系１２０が窒素ガスの流れによって直接冷却（空冷）される。
【００２１】
また、カメラ収納ケース９０は、挿入側前端部に窓１３０が設けられている。また、窓１３０は、炉内２６の熱がカメラ収納ケース９０の内部に伝導しにくいように、できるだけ小さく形成されており、本実施の形態では、プリズム系１２０の縦寸法及び横寸法に対応した大きさ（面積）に形成されている。尚、本実施の形態においては、窓１３０の開口寸法は、縦横寸法がそれぞれ３０〜７０ｍｍであり、例えば横５０ｍｍ×縦５０ｍｍである。
【００２２】
窓１３０には、開口部分に炉内２６の温度に耐えうる透明なカバーガラス１３２が嵌め込まれている。カバーガラス１３２は、耐熱性を有する石英ガラス又はサファイアガラスにより形成されており、至近距離の被写体も撮像可能となるようにカメラ収納ケース９０の挿入側前端部の垂直面に対して下向き４５度の傾斜角度で取り付けられている。
【００２３】
撮像カメラ本体１００は、広角レンズ系１１０から入射された光を電気信号に変換する撮像素子（図示せず）を内蔵しており、炉内２６の撮像信号を画像処理部４０に出力する。広角レンズ系１１０としては、撮像カメラ本体１００の撮像素子に炉内２６からの光を結像させる広角レンズ、例えば焦点距離ｆ＝８．５ｍｍ、画角が４０度〜６０度の広角レンズを用いるため、魚眼レンズに比べて画像の歪曲収差（ディストーション）を抑制することが可能になる。
【００２４】
また、撮像素子は、例えば２／３インチ（８．８ｍｍ×６．６ｍｍ）の大きさを有し、画素数は５００万画素である。
【００２５】
プリズム系１２０は、広角レンズ系１１０と窓１３０との間に配置されており、２つの４５度偏角視野を有する４５度偏角プリズムを組み合わせた構成であり、本実施の形態では、至近距離用の第１のプリズム１２２と、近距離用の第２のプリズム１２４とを有する。第１のプリズム１２２及び第２のプリズム１２４は、入射面１２２ａ、１２４ａが窓１３０のカバーガラス１３２に対向するように取り付けられている。入射面１２２ａ、１２４ａの傾斜角度によって、撮像範囲を任意の領域（例えば、至近距離の領域）に設定できるので、ガラスリボンＧのエッジ部分が高温炉内監視カメラ装置３０の挿入側前端部に至近距離まで接近していても撮像可能である。
【００２６】
また、第１のプリズム１２２及び第２のプリズム１２４の出射面１２２ｂ、１２４ｂは、広角レンズ系１１０に対向している。第１のプリズム１２２及び第２のプリズム１２４は、入射面１２２ａ、１２４ａへ入射されるガラスリボン６２のエッジ部分１４０付近からの入射光を屈折し、出射面１２２ｂ、１２４ｂより広角レンズ系１１０の下半分、上半分に２分割して出射する。
【００２７】
第１のプリズム１２２の入射面１２２ａは、撮像カメラ本体１００の挿入側前端より至近距離に位置する炉内２６の第１正面撮像領域ＨＡからの光が入射されるように形成され、且つ出射面１２２ｂは、第１正面撮像領域ＨＡからの光を広角レンズ系１１０の光軸より下半分（俯角θ１＝２２．５度）に出射するように形成される。
【００２８】
第２のプリズム１２４の入射面１２４ａは、上記第１正面撮像領域ＨＡより遠い位置の第２正面撮像領域ＨＢからの光が入射されるように形成され、且つ出射面１２４ｂは、第２正面撮像領域ＨＢからの光を広角レンズ系１１０の光軸Ｏより上半分（俯角θ２＝２２．５度）に出射するように形成される。
【００２９】
また、窓１３０のカバーガラス１３２は、第１のプリズム１２２の入射面１２２ａ、及び第２のプリズム１２４の入射面１２４ａに対向する大きさ（面積）を有する。すなわち、窓１３０は、広角レンズ系１１０の画角に応じた範囲を開口させる必要がなく、第１のプリズム１２２の入射面１２２ａ、及び第２のプリズム１２４の入射面１２４ａの合計面積分あれば良いので、所謂魚眼レンズを用いる場合よりも開口面積が大幅に小さくなる。その分、カバーガラス１３２は結露しにくくなって、メンテナンス回数を削減できる。
【００３０】
図３は本考案による高温炉内監視カメラ装置の撮像範囲を示す平面図である。図３に示されるように、第１正面撮像領域ＨＡ及び第２正面撮像領域ＨＢの光は、第１のプリズム１２２及び第２のプリズム１２４により屈折されて高温炉内監視カメラ装置３０の広角レンズ系１１０に入射される。そのため、広角レンズ系１１０は、撮像素子の下半分に近距離側の第１正面撮像領域ＨＡの光を結像させ、撮像素子の上半分に第１正面撮像領域ＨＡより遠距離側の第２正面撮像領域ＨＢの光を結像させる。また、第１のプリズム１２２の入射面１２２ａ、及び第２のプリズム１２４の入射面１２４ａの水平面に対する角度、あるいは高温炉内監視カメラ装置３０の水平面に対する取付角度を適宜調整することにより、第１正面撮像領域ＨＡ及び第２正面撮像領域ＨＢを高温炉内監視カメラ装置３０から近い領域又は遠い領域に設定することも可能である。
【００３１】
第１正面撮像領域ＨＡ及び第２正面撮像領域ＨＢは、上方からみると夫々台形状であるが、ガラスリボンのエッジ部分１４０を観察するのに必要な観察領域ＨＣ（図３中、破線で示す領域）をカバーしている。そのため、観察者は、モニタ５０（図１参照）に表示された第１正面撮像領域ＨＡ及び第２正面撮像領域ＨＢの２つの正面方向の画像によりガラスリボンＧのエッジ部分１４０の位置及びエッジ部分１４０の膨らみ具合を確認しながらトップローラの位置や溶融ガラスの流入量等の調整操作を行える。このように、高温炉内監視カメラ装置３０は、ガラスリボンＧのエッジ部分１４０の異常変動や、トップロールの押込み過ぎなどで、ガラスリボンＧを巻き込む等のトラブルを未然に防止するのに好適であり、フロートバス６０における操作を正確且つ迅速に行えるようにアシストすることが可能である。
【００３２】
また、高温炉内監視カメラ装置３０は、光軸Ｏを中心軸として９０度回動させることで、縦方向の二つの第１正面撮像領域ＨＡ及び第２正面撮像領域ＨＢが水平方向にずらした二つの領域として撮像することが可能になる。
【００３３】
〔高温炉内監視カメラ装置の変形例〕
図４は高温炉内監視カメラ装置の変形例を示す縦断面図である。図５は高温炉内監視カメラ装置の変形例を示す横断面図である。図４及び図５に示されるように、高温炉内監視カメラ装置３０Ａは、カメラ収納ケース９０Ａと、撮像カメラ本体１００と、広角レンズ系１１０と、プリズム系１２０Ａとを有する。尚、撮像カメラ本体１００、広角レンズ系１１０は、前述した実施の形態と同様なため、説明を省略する。
【００３４】
カメラ収納ケース９０Ａは、前述した冷却液供給装置（第１の冷却手段）７０及び、冷却気体供給装置（第２の冷却手段）８０により内部が冷却される。また、カメラ収納ケース９０Ａは、挿入側端部に正面撮像用の窓１３０と、左側面撮像用の窓１３４と、右側面撮像用の窓１３６とを有する。尚、本実施の形態においては、正面の窓１３０の開口寸法は、前述した図２の場合の上半分の大きさで良いので、横寸法が３０〜７０ｍｍ、縦寸法が１５〜３５ｍｍであり、例えば横５０ｍｍ×縦２５ｍｍである。また、左右の窓１３４、１３６の開口寸法は、縦横寸法がそれぞれ１５〜３５ｍｍであり、例えば横２５ｍｍ×縦２５ｍｍである。
【００３５】
各窓１３０、１３４、１３６には、耐熱性を有する石英ガラス又はサファイアガラスにより形成されたカバーガラス１３２、１３５、１３７が嵌め込まれている。窓１３０、１３４、１３６は、広角レンズ系１１０の画角に応じた範囲を開口させる場合よりも小さくて済み、各プリズム１２４、１２６、１２８の入射面１２４ａ、１２６ａ、１２８ａに対応する面積があれば良い。そのため、所謂魚眼レンズを用いる場合よりも窓の開口面積が小さくなり、その分、カバーガラス１３２、１３５、１３７は結露しにくくなって、メンテナンス回数を削減できる。
【００３６】
プリズム系１２０Ａは、第２のプリズム１２４と、第３のプリズム１２６と、第４のプリズム１２８とを有する。第２のプリズム１２４は、前述した通り、第２正面撮像領域ＨＢの光が入射される入射面１２４ａと、広角レンズ系１１０の上半分（俯角θ２＝２２．５度）に光を出射する出射面１２４ｂとを有する。
【００３７】
第３のプリズム１２６、第４のプリズム１２８は、４５度の偏角視野を有し、光軸Ｏの左右方向に離れた２つの側面撮像領域の光が入射される。第３のプリズム１２６の入射面１２６ａは、撮像カメラ本体１００の光軸Ｏより左側に離間した位置の左側撮像領域ＨＤからの光が入射されるように形成される。また、第３のプリズム１２６の出射面１２６ｂは、左側撮像領域ＨＤからの光を広角レンズ系１１０の光軸より下半分（俯角θ１＝２２．５度）の左側に出射するように形成される。
【００３８】
第４のプリズム１２８の入射面１２８ａは、撮像カメラ本体１００の光軸Ｏより右側に離間した位置の右側撮像領域ＨＥからの光が入射されるように形成される。また、第４のプリズム１２８の出射面１２８ｂは、右側撮像領域ＨＥからの光を広角レンズ系１１０の光軸Ｏより下半分（俯角θ１＝２２．５度）の右側に出射するように形成される。
【００３９】
図６は高温炉内監視カメラ装置の変形例の撮像範囲を示す平面図である。図６に示されるように、各プリズム１２４、１２６、１２８により光が入射される第２正面撮像領域ＨＢ、左側撮像領域ＨＤ、右側撮像領域ＨＥは、ガラスリボンＧのエッジ部分１４０が流れる第２観察領域ＨＦ（図６中、破線で示す領域）に含まれる。従って、高温炉内監視カメラ装置３０Ａでは、第２正面撮像領域ＨＢ、左側撮像領域ＨＤ、右側撮像領域ＨＥからの光が各プリズム１２４、１２６、１２８より広角レンズ系１１０に入射されるため、水平方向に１３５度の範囲の各領域の光がカメラ本体１００に内蔵された撮像素子に結象される。
【００４０】
すなわち、撮像素子の上半分には、第２正面撮像領域ＨＢの光が結象され、撮像素子の下半分の左半分（左側の１／４）には左側撮像領域ＨＤの光が結象され、撮像素子の下半分の右半分（右側の１／４）には右側撮像領域ＨＥの光が結象される。そのため、モニタ５０（図１参照）は、第２正面撮像領域ＨＢ、左側撮像領域ＨＤ、右側撮像領域ＨＥを撮像した３つの各画像を一画面に表示する。
【００４１】
観察者は、モニタ５０に表示された第２正面撮像領域ＨＢ、左側撮像領域ＨＤ、右側撮像領域ＨＥの３つの各画像によりガラスリボンＧのエッジ部分１４０の流れ方向の各位置を確認しながらトップローラ２３の位置や溶融ガラスの流入量の調整操作を行える。このように、ガラスリボンＧの流れ方向に沿う３つの領域を一台の撮像カメラで同時に撮像することができるので、その分、撮像カメラの設置数を削減することが可能になり、高温炉２０の炉内２６及びフロートバス６０内の温度変化（低下）を抑制することが可能になる。
【００４２】
また、高温炉内監視カメラ装置３０Ａは、正面及び左右方向の３つ各領域ＨＢ、ＨＤ、ＨＥを同時に監視することが可能になるため、例えばフロートバス６０の入口側におけるガラスリボンＧのエッジ部分が拡幅方向に移動される領域を広範囲に監視するのに好適であり、フロートバス６０におけるガラスリボンの幅、厚みを最適制御することに寄与する。
【符号の説明】
【００４３】
１０  監視システム
２０  高温炉
２２  炉壁
２４  取付孔
２６  炉内
３０、３０Ａ  高温炉内監視カメラ装置
４０  画像処理部
５０  モニタ
６０  フロートバス
６２  溶融スズ
７０  冷却液供給装置（第１の冷却手段）
７２  冷却流路
８０  冷却気体供給装置（第２の冷却手段）
９０、９０Ａ  カメラ収納ケース
９２  内部空間
１００  撮像カメラ本体
１１０  広角レンズ系
１２０、１２０Ａ  プリズム系
１２２  第１のプリズム
１２２ａ、１２４ａ、１２６ａ、１２８ａ  入射面
１２２ｂ、１２４ｂ、１２６ｂ、１２８ｂ  出射面
１２４  第２のプリズム
１２６  第３のプリズム
１２８  第４のプリズム
１３０、１３４、１３６  窓
１３２、１３５、１３７  カバーガラス
１４０  エッジ部分
Ｇ  ガラスリボン
ＨＡ  第１正面撮像領域
ＨＢ  第２正面撮像領域
ＨＣ  第１観察領域
ＨＤ  左側撮像領域
ＨＥ  右側撮像領域
ＨＦ  第２観察領域
Ｏ  光軸
【図１】
0003179077.tif 000003
【図２】
0003179077.tif 000004
【図３】
0003179077.tif 000005
【図４】
0003179077.tif 000006
【図５】
0003179077.tif 000007
【図６】
0003179077.tif 000008